(57)【特許請求の範囲】
【請求項１】
コンピュータ本体には、
入力手段と出力手段とを接続し、
コンピュータ本体は、
リースプラン比較演算手段と、記憶手段とを含み、
前記記憶手段には、
前記入力手段により入力される車両本体価格、取得時の諸費用、標準走行距離を基準に設定されたリース後の車両の第１の残存価格、前記標準走行距離より走行距離の短い少走行距離を基準に設定され、前記残存価格より高額の第２の残存価格、前記標準走行距離より走行距離の長い多走行距離を基準に設定され、前記残存価格より低額の第３の残存価格、リース回数を記憶する入力データ記憶部と、
入力手段により入力されるリース料率を記憶するリース料率記憶部と、
前記入力データ記憶部に記憶された前記車両本体価格、前記諸費用、前記第１の残存価格及び前記リース回数、並びに前記リース料率記憶部に記憶されたリース料率にもとづき、基本リース額を求めるための第１の計算手順を記憶する基本リース額計算テーブルと、
前記入力データ記憶部に記憶された前記車両本体価格、前記第２の残存価格、前記第３の残存価格、前記諸費用及び前記リース回数、並びに前記リース料率記憶部に記憶されたリース料率にもとづき、複数種類の比較リース額を求めるための第２の計算手順を記憶する比較リース額計算テーブルとを含み、
前記リースプラン比較演算手段は、
前記基本リース額計算テーブルを参照して、
前記入力データ記憶部に記憶された前記車両本体価格に前記諸費用を加算して車両小計を求め、
当該車両小計から前記第１の残存価格を減算して減価償却費を求め、
前記減価償却費に諸費用を加算して小計を求め、
前記車両本体価格を元に金利対象額を求め、
当該金利対象額から前記第１の残存価格を減算後、前記リース料率記憶部に記憶されたリース料率を乗算して償却金利を求め、
前記第１の残存価格を元に残存金利を求め、
前記償却金利に前記残存金利を加算して金利小計を求め、
前記小計に前記金利小計を加算して第１のリース元金を求め、
前記リース元金を前記入力データ記憶部に記憶された前記リース回数で除算して前記基本リース額を求めるという前記第１の計算手順を実行するとともに、
前記比較リース額計算テーブルを参照して、
前記入力データ記憶部に記憶された前記第２の残存価格を用いて、前記第１の計算手順と同様の計算手順により、前記基本リース額より低額の第１の比較リース額を求め、
前記入力データ記憶部に記憶された前記第３の残存価格を用いて、前記第１の計算手順と同様の計算手順により、前記基本リース額より高額の第２の比較リース額を求めるという前記第２の計算手順を実行し、
前記入力データ記憶部に記憶された前記リース回数を、入力リース回数として、
前記基本リース額、前記第１の比較リース額及び前記第２の比較リース額を、前記入力リース回数にもとづく前記基本リース額、前記第１の比較リース額及び前記第２の比較リース額とし、
前記記憶手段には、
前記入力データ記憶部に入力されたリース回数を変動させるためのリース回数変動率を記憶するためのリース回数変動率記憶部を含み、
前記リースプラン比較演算手段は、
前記入力データ記憶部に記憶された前記入力リース回数を、前記リース回数変動率記憶部に記憶された前記リース回数変動率にもとづいて減算した減算リース回数を用いて、前記第１の計算手順及び前記第２の計算手順を実行して、前記減算リース回数にもとづく前記基本リース額、前記第１の比較リース額及び前記第２の比較リース額を求めるとともに、
前記入力データ記憶部に記憶された前記入力リース回数を、前記リース回数変動率記憶部に記憶された前記リース回数変動率にもとづいて加算した加算リース回数を用いて、前記第１の計算手順及び前記第２の計算手順を実行して、前記加算リース回数にもとづく前記基本リース額、前記第１の比較リース額及び前記第２の比較リース額を求め、
前記コンピュータ本体は、
リースプラン比較演算手段により求めた前記入力リース回数にもとづく前記基本リース額、前記第１の比較リース額及び前記第２の比較リース額、前記減算リース回数にもとづく前記基本リース額、前記第１の比較リース額及び前記第２の比較リース額、前記加算リース回数にもとづく前記基本リース額、前記第１の比較リース額及び前記第２の比較リース額を含むリースプランを、前記入力リース回数、前記減算リース回数、前記加算リース回数毎に、前記基本リース額、前記第１の比較リース額及び前記第２の比較リース額を表形式を用いて、前記出力手段により外部に出力するようにしていることを特徴とする自動車のリースプラン比較演算装置。
【発明の詳細な説明】
【０００１】
【発明の属する技術分野】
この発明は、例えば自動車のリースプラン比較演算装置に関し、特に多種多様な顧客のニーズに対応して、複数のリースプランを迅速に算出できるようにしたものである。
【０００２】
【従来の技術】
従来、この種のリースプラン比較算出方法では、自動車を販売する販売店が、各顧客毎に、頭金、ボーナス時の支払い、リース回数等のリース条件に対する要望を聞き取り、この顧客の要望に基づいて、リース会社と連絡を取り合ってリース金額等を決定し、このリース金額等を各顧客に提示していた。
【０００３】
このようなリースを利用する顧客の大半は法人企業であり、法人企業に対するリースプランは画一化されていたので、一種類あるいは数種類のプランを提示するだけでよい場合が多かった。
【０００４】
【発明が解決しようとする課題】
しかし、上記した従来のリースプラン比較算出方法では、特にリースプランが画一化されていない個人の顧客に対して以下の問題点があった。
第１に、個人の顧客はその要望が多種多様であり、頭金やリース回数等の要望を変更する度に、販売店が電話やファクシミリを利用して顧客の要望をリース会社に伝え、リース会社では当該要望に対応するリース金額等を算出した後、販売店を通じてリース金額等を顧客に伝えなければならなず、リースプランを迅速に提示できないという問題点があった。
【０００５】
第２に、上記した従来のリースプラン比較算出方法では、リースプランの選択肢が少ないばかりでなく、リースプランの内容が明らかにされておらず、多種多様な顧客のニーズに対応できないという問題点があった。
そこで、請求項１〜５にそれぞれ記載された各発明は、上記した従来の技術の有する問題点に鑑みてなされたものであり、それらの目的とするところは、次の点にある。
（請求項１）
請求項１記載の発明は、次の点を目的とする。
【０００６】
すなわち、請求項１記載の発明は、多種多様な顧客のニーズに迅速に対応してリースプランを提示することが可能なリースプラン比較算出装置を提供しようとするものである。
【０００７】
【課題を解決するための手段】
各請求項にそれぞれ記載された各発明は、上記した各目的を達成するためになされたものであり、各発明の特徴点を図面に示した発明の実施の形態を用いて、以下に説明する。
（請求項１）
請求項１記載の発明は、次の点を特徴とする。
【０００８】
第１に、コンピュータ本体(20)には、例えば図１７に示すように、入力手段（例えば入力装置30）と出力手段（例えば印刷装置70）とを接続する。
第２に、コンピュータ本体(20)は、例えば図１７に示すように、リースプラン比較演算手段(100)と、記憶手段(90)とを含む。
第３に、記憶手段(90)には、例えば図１７に示すように、次の構成を含む。
【０００９】
（１）入力データ記憶部(130)
入力データ記憶部(130)は、入力手段（例えば入力装置30）により入力される車両本体価格、取得時の諸費用、標準走行距離を基準に設定されたリース後の車両の第１の残存価格、標準走行距離より走行距離の短い少走行距離を基準に設定され、残存価格より高額の第２の残存価格、標準走行距離より走行距離の長い多走行距離を基準に設定され、残存価格より低額の第３の残存価格、リース回数を記憶するものである。
【００１０】
（２）リース料率記憶部(140)
リース料率記憶部(140)は、入力手段（例えば入力装置30）により入力されるリース料率を記憶するものである。
（３）基本リース額計算テーブル(121)
基本リース額計算テーブル(121)は、入力データ記憶部(130)に記憶された車両本体価格、諸費用、第１の残存価格及びリース回数、並びにリース料率記憶部(140)に記憶されたリース料率にもとづき、基本リース額を求めるための第１の計算手順を記憶するものである。
【００１１】
（４）比較リース額計算テーブル(122)
比較リース額計算テーブル(122)は、入力データ記憶部(130)に記憶された車両本体価格、第２の残存価格、第３の残存価格、諸費用及びリース回数、並びにリース料率記憶部(140)に記憶されたリース料率にもとづき、複数種類の比較リース額を求めるための第２の計算手順を記憶するものである。
【００１２】
第４に、リースプラン比較演算手段(100)は、基本リース額計算テーブル(121)を参照して、次の第１の計算手順を実行する。
（第１の計算手順の１）
入力データ記憶部(130)に記憶された車両本体価格に諸費用を加算して車両小計を求め、当該車両小計から第１の残存価格を減算して減価償却費を求める。
【００１３】
（第１の計算手順の２）
減価償却費に諸費用を加算して小計を求める。
（第１の計算手順の３）
償却金利は、車両本体価格を元に金利対象額を求め、当該金利対象額から第１の残存価格を減算後、リース料率記憶部(140)に記憶されたリース料率を乗算して償却金利を求める。
【００１４】
（第１の計算手順の４）
残存金利は、第１の残存価格を元に残存金利を求める。
（第１の計算手順の５）
金利小計は、償却金利に残存金利を加算して金利小計を求める。
（第１の計算手順の６）
第１のリース元金は、小計に金利小計を加算して第１のリース元金を求める。
【００１５】
（第１の計算手順の７）
基本リース額は、リース元金を入力データ記憶部(130)に記憶されたリース回数で除算して基本リース額を求める。
第５に、リースプラン比較演算手段(100)は、比較リース額計算テーブル(122)を参照して、次の第２の計算手順を実行する。
【００１６】
（第２の計算手順の１）
第１の比較リース額は、基本リース額より低額であって、入力データ記憶部(130)に記憶された第２の残存価格を用いて、第１の計算手順と同様の計算手順により第１の比較リース額を求める。
（第２の計算手順の２）
第２の比較リース額は、基本リース額より高額であって、入力データ記憶部(130)に記憶された第３の残存価格を用いて、第１の計算手順と同様の計算手順により第２の比較リース額を求める。
【００１７】
第６に、入力データ記憶部(130)に記憶されたリース回数を、入力リース回数とする。
第７に、基本リース額、第１の比較リース額及び第２の比較リース額を、入力リース回数にもとづく基本リース額、第１の比較リース額及び第２の比較リース額とする。
【００１８】
第８に、記憶手段(90)には、次の構成を含む。
（５）リース回数変動率記憶部(154)
リース回数変動率記憶部(154)は、入力データ記憶部(130)に入力されたリース回数を変動させるためのリース回数変動率を記憶するためのものである。
第９に、リースプラン比較演算手段(100)は、入力データ記憶部(130)に記憶された入力リース回数を、リース回数変動率記憶部(154)に記憶されたリース回数変動率にもとづいて減算した減算リース回数を用いて、第１の計算手順及び第２の計算手順を実行して、減算リース回数にもとづく基本リース額、第１の比較リース額及び第２の比較リース額を求める。
【００１９】
第１０に、リースプラン比較演算手段(100)は、入力データ記憶部(130)に記憶された入力リース回数を、リース回数変動率記憶部154に記憶されたリース回数変動率にもとづいて加算した加算リース回数を用いて、第１の計算手順及び第２の計算手順を実行して、加算リース回数にもとづく基本リース額、第１の比較リース額及び第２の比較リース額を求める。
【００２０】
第１１に、コンピュータ本体(20)は、リースプラン比較演算手段(100)により求めた入力リース回数にもとづく基本リース額、第１の比較リース額及び第２の比較リース額、減算リース回数にもとづく基本リース額、第１の比較リース額及び第２の比較リース額、加算リース回数にもとづく基本リース額、第１の比較リース額及び第２の比較リース額を含むリースプランを、例えば図１９に示すように、入力リース回数、減算リース回数、加算リース回数毎に、基本リース額、第１の比較リース額及び第２の比較リース額を表形式を用いて、出力手段（例えば印刷装置70）により外部に出力するようにしている。
【００２１】
【発明の実施の形態】
（第１実施例）
図１〜１６は、本発明の実施の形態の第１実施例を示すものである。
図１は、リースプラン比較演算装置の概略ブロック図を示す。
図２は、リースプランの説明図を示す。
【００２２】
図３，４は、入力テーブルの説明図をそれぞれ示し、図３はデータの未入力状態を示し、図４はデータの入力状態を示す。
図５，６は、データテーブルをそれぞれ示し、図５は第１データテーブルを示し、図６は第２データテーブルを示す。
図７〜１２は、計算テーブルをそれぞれ示し、図７〜９はデータの未入力状態を示し、図１０〜１２はデータの入力状態を示す。
【００２３】
図７は、第１計算テーブルを、図８は第２計算テーブルを、図９は第３計算テーブルをそれぞれ示す。
図１０は、図７に対応した第１計算テーブルを、図１１は図８に対応した第２計算テーブル、図１２は図９に対応した第３計算テーブルをそれぞれ示す。
図１３〜１６は、出力様式テーブルをそれぞれ示し、図１３，１４はデータの未入力状態を示し、図１５，１６はデータの入力状態を示す。
【００２４】
図１３は、第１出力様式テーブルを、図１４は第２出力様式テーブルをそれぞれ示す。
図１５は、図１３に対応した第１出力様式テーブルを、図１６は図１４に対応した第２出力様式テーブルをそれぞれ示す。
（リースプラン比較演算装置）
図１中、10は、リースプラン比較演算装置を示すものであり、例えば自動車の個人リースプランを算出するのに使用される。
【００２５】
なお、リース物件は、自動車に限らず、他の車両や、船舶、航空機、プラント、建築物、設備、事務用品、電気器具、家具、他の小物類等に広く活用することができる。
また、個人リースに限らず、法人対象のリースにも使用することができる。
上記リースプラン比較演算装置10は、図１に示すように、コンピュータ本体20、その周辺機器等から構成されている。
【００２６】
上記コンピュータ本体20としては、例えばパーソナルコンピュータが使用されている。
なお、パーソナルコンピュータに限らず、いわゆるオフコン、ワークステーション、或いは大型コンピュータに使用しても良い。
前記コンピュータ本体20には、図示しないが、ＣＰＵ，ＲＯＭ，ＲＡＭ等を備え、後述するが、内外に記憶されたプログラムを実行することで、各種の手段や各部として作用する。
【００２７】
また、上記プログラムとしては、例えば表計算ソフトやスプレッドシートと呼ばれる汎用ソフトを利用してシステムを構築している。
なお、表計算ソフトやスプレッドシートに限らず、汎用のデータベースソフトを利用したり、或いは各種言語を使用して専用のソフトを構築しても良い。
前記周辺機器は、例えば図１に示すように、入力装置30、外部記憶装置40、画像読取装置50、表示装置60、印刷装置70、通信装置80等がコンピュータ本体20にそれぞれ接続されている。
【００２８】
上記入力装置30としては、例えばキーボード、マウス、テンキーボード、タッチパネル等を使用できる。
前記外部記憶装置40は、入力側と出力側の両方に使用でき、例えば磁気的、光学的な記憶装置が使用できる。
上記磁気的な記憶装置としては、例えばハードディスク装置、ＦＤドライブ等が使用できる。なお、磁気的な記憶媒体としては、ハードディスク、ＦＤ等が使用できる。
【００２９】
前記光学的な記憶装置としては、例えばＣＤ−ＲＯＭドライブ、ＭＯドライブ等が使用できる。なお、光学的な記憶媒体としては、ＣＤ−ＲＯＭ、ＭＯ等のディスクが使用できる。
前記画像読取装置50としては、例えばスキャナー、バーコードリーダー等が使用できる。
【００３０】
前記印刷装置70としては、プリンタ、コピー機等が使用できる。
前記通信装置80としては、モデム，ファクシミリ等が使用できる。また、ＲＡＮ等でコンピュータ本体20を接続しても良い。
前記コンピュータ本体20は、図１に示すように、大別すると、記憶手段90、リースプラン比較演算手段100を備える。
（記憶手段）
上記記憶手段90は、例えばＰＯＭ、ＲＡＭ等の内部記憶手段や、先に説明した外部記憶手段である外部記憶装置40等から構成される。
【００３１】
上記記憶手段90には、図１に示すように、大別すると、データ記憶エリア110、プログラム記憶エリア120を含む。
（データ記憶エリア）
上記データ記憶エリア110は、例えばキーボード等の入力装置30から入力されたデータを記憶するものである。
【００３２】
上記データには、リース物件価格、リース回数等を含む。これに加えて、ボーナス加算額、リース残存価格を含ませても良い。
前記データ記憶エリア110には、図１に示すように、大別すると、入力データ記憶部130、リース料率記憶部140、変化率記憶部150を含む。
上記入力データ記憶部130は、「リース物件価格」、「リース回数」等を記憶するものである。
【００３３】
上記「リース物件価格」としては、図３に示す入力テーブルの８行Ｓ列の「車両本体価格」の欄に入力された金額、例えば図４の８行Ｓ列の「4,360,000」円が記憶されている。
なお、「リース物件価格」は、上記「車両本体価格」に限らず、図３に示す入力テーブルの９行Ｓ列の「特別仕様１」、１０行Ｓ列の「特別仕様２」、１１列Ｓ列の「特殊加工」、１２行Ｓ列の「外注加工」、１３行Ｓ列の「付属部品」の各欄に記入された金額も含まれる。
【００３４】
前記「リース回数」としては、図３に示す入力テーブルの６行Ｔ列の「リース項目＊回」の欄に入力された金額、例えば図４の６行Ｔ列の「４８」月が記憶されている。
前記リース料率記憶部140は、「リース料率」を記憶する記憶するものである。
【００３５】
上記「リース料率」としては、図３に示す入力テーブルの２６行Ｗ列の「基本料率」の欄に入力された金額、例えば図４の２６行Ｗ列の「８．１０」％が記憶されている。
前記変化率記憶部150は、リース額を変化するための変化率を記憶するものである。
【００３６】
前記入力データ記憶部130には、図１に示すように、ボーナス加算額記憶部131、残存価格記憶部132、前払金記憶部133を含む。
上記ボーナス加算額記憶部131は、「ボーナス加算額」を記憶するものである。
上記「ボーナス加算額」としては、図３に示す入力テーブルの１５行Ｗ列の「ボーナス加算」の欄に入力された金額、例えば図４の１５行Ｗ列の「50,000」円が記憶されている。
【００３７】
これに加え、「ボーナス加算額」としては、図３に示す入力テーブルの１６行Ｗ列の「ボーナス調整」の欄に入力された金額、例えば図４の１６行Ｗ列の「10,000」円が記憶されている。
前記残存価格記憶部132は、「リース残存価格」を記憶するものである。
上記「リース残存価格」としては、図３に示す入力テーブルの１８行Ｗ列の「残存価格」の欄に入力された金額、例えば図４の１８行Ｗ列の「800,000」円が記憶されている。
【００３８】
これに加え、「リース残存価格」としては、図３に示す入力テーブルの１９行Ｗ列の「残存調整」の欄に入力された金額、例えば図４の１９行Ｗ列の「50,000」円が記憶されている。
前記前払金記憶部133は、「前払金」を記憶するものである。
上記「前払金」としては、図３に示す入力テーブルの１１行Ｗ列の「前払金」の欄に入力された金額、例えば図４の１１行Ｗ列の「1,000,000」円が記憶されている。
【００３９】
前記変化率記憶部150には、図１に示すように、ボーナス調整額記憶部151、残存価格調整額記憶部152、前払金調整額記憶部153を含む。
上記ボーナス調整額記憶部151は、ボーナス加算額の「ボーナス調整額」を記憶するものである。
上記「ボーナス調整額」としては、図３に示す入力テーブルの１６行Ｗ列の「ボーナス調整」の欄に入力された金額、例えば図４の１６行Ｗ列の「10,000」円が記憶されている。
【００４０】
その結果、図１５，１６に示す第１出力様式テーブルの「ボーナス加算」の行（７３行、８０列、８７列、９６列、１０３列、１１０列、１１７列）の金額、例えば「50,000」円が、「ボーナス調整」の金額、例えば「10,000」円にもとづいて変化する。
例えば、図１５に示す「Ｆ１」の欄（７７列〜８１列）を例に挙げれば、「No.6」の列（ＡＭ列）には、「ボーナス加算」の金額、例えば「50,000」円（８０行ＡＭ列）がそのまま転記されている。その結果、「月額リース料」（８１行ＡＭ列）は、「50,000」円の「ボーナス加算」を基準に計算されている。
【００４１】
これに対し、図１５に示す「No.6」の列（ＡＭ列）の左側の「No.5」の列（ＡＬ列）には、「ボーナス加算」の金額、例えば「50,000」円から「ボーナス調整」の金額、例えば「10,000」円を減算した金額、すなわち「40,000」円（８０行ＡＬ列）が記入される。その結果、「月額リース料」（８１行ＡＬ列）は、「40,000」円の「ボーナス加算」を基準に計算される。
【００４２】
逆に、図１５に示す「No.6」の列（ＡＭ列）の右側の「No.7」の列（ＡＮ列）には、「ボーナス加算」の金額、例えば「50,000」円から「ボーナス調整」の金額、例えば「10,000」円を加算した金額、すなわち「60,000」円（８０行ＡＮ列）が記入される。その結果、「月額リース料」（８１行ＡＮ列）は、「60,000」円の「ボーナス加算」を基準に計算される。
【００４３】
上記説明からもわかるように、仮に、図４に示す入力テーブルの１６行Ｗ列の「ボーナス調整」の欄に入力された金額を、「10,000」円から「20,000」円に変更すれば、図１５に示す「No.5」の列（ＡＬ列）の「ボーナス加算」は、「30,000」円に変化する。また、図１５に示す「No.6」の列（ＡＮ列）の「ボーナス加算」は、「７0,000」円に変化する。
【００４４】
前記残存価格調整額記憶部152は、リース残存価格の「リース残存価格調整額」を記憶するものである。
上記「リース残存価格調整額」としては、図３に示す入力テーブルの１９行Ｗ列の「残存調整」の欄に入力された金額、例えば図４の１９行Ｗ列の「50,000」円が記憶されている。
【００４５】
その結果、図１５，１６に示す第１出力様式テーブルの「残存価格」の行（７４行、７９列、８６列、９５列、１０２列、１０９列、１１６列）の金額、例えば「800,000」円が、「残存調整」の金額、例えば「50,000」円にもとづいて変化する。
例えば、図１５に示す「Ｆ１」の欄（７７列〜８１列）を例に挙げれば、「No.6」の列（ＡＭ列）には、「残存価格」の金額、例えば「800,000」円（７９行ＡＭ列）がそのまま転記されている。その結果、「月額リース料」（８１行ＡＭ列）は、「800,000」円の「残存価格」を基準に計算されている。
【００４６】
これに対し、図１５に示す「No.6」の列（ＡＭ列）の左側の「No.5」の列（ＡＬ列）には、「残存価格」の金額、例えば「800,000」円から「残存調整」の金額、例えば「50,000」円を減算した金額、すなわち「750,000」円（７９行ＡＬ列）が記入される。その結果、「月額リース料」（８１行ＡＬ列）は、「750,000」円の「残存価格」を基準に計算される。
【００４７】
逆に、図１５に示す「No.6」の列（ＡＭ列）の右側の「No.7」の列（ＡＮ列）には、「残存価格」の金額、例えば「800,000」円から「残存調整」の金額、例えば「50,000」円を加算した金額、すなわち「850,000」円（７９行ＡＮ列）が記入される。その結果、「月額リース料」（８１行ＡＮ列）は、「850,000」円の「残存価格」を基準に計算される。
【００４８】
上記説明からもわかるように、仮に、図４に示す入力テーブルの１９行Ｗ列の「残存調整」の欄に入力された金額を、「50,000」円から「100,000」円に変更すれば、図１５に示す「No.5」の列（ＡＬ列）の「残存価格」は、「700,000」円に変化する。また、図１５に示す「No.6」の列（ＡＮ列）の「残存価格」は、「900,000」円に変化する。
【００４９】
前記前払金調整額記憶部153は、前払金の「前払金調整額」を記憶するものである。
上記「前払金調整額」としては、図３に示す入力テーブルの１３行Ｗ列の「前払調整」の欄に入力された金額、例えば図４の１３行Ｗ列の「0」円が記憶されている。
【００５０】
なお、「前払金調整額」は、上述した「ボーナス調整額」や「リース残存価格調整額」と同様なので、説明を省略する。
（プログラム記憶エリア）
前記プログラム記憶エリア120は、プログラムを記憶するものである。
上記プログラム記憶エリア120には、図１に示すように、大別すると、基本リース額計算テーブル121、比較リース額計算テーブル122を含む。
【００５１】
上記基本リース額計算テーブル121は、入力データ記憶部130に記憶されたリース物件価格及びリース回数、並びにリース料率記憶部140に記憶されたリース料率にもとづき、リースプラン比較演算手段100により基本リース額を求めるための計算手順が記憶されている。
比較リース額計算テーブル122には、入力データ記憶部130に記憶されたリース物件価格及びリース回数、リース料率記憶部140に記憶されたリース料率、並びに変化率記憶部150に記憶された変化率にもとづき、リースプラン比較演算手段100により複数の比較リース額を求めるための計算手順が記憶されている。
【００５２】
また、基本リース額計算テーブル121には、上記した計算手順の他に、入力データ記憶部130に記憶されたリース物件価格及びリース回数、入力データ記憶部130のボーナス加算額記憶部131に記憶されたボーナス加算額、並びにリース料率記憶部140に記憶されたリース料率にもとづき、リースプラン比較演算手段100により基本リース額を求めるための計算手順を記憶しても良い。
【００５３】
さらに、基本リース額計算テーブル121には、上記した計算手順の他に、入力データ記憶部130に記憶されたリース物件価格及びリース回数、入力データ記憶部130の前記残存価格記憶部132に記憶されたリース残存価格、リース料率記憶部140に記憶されたリース料率、並びに変化率記憶部150の残存価格調整額記憶部152に記憶されたリース残存価格調整額にもとづき、リースプラン比較演算手段100により基本リース額を求めるための計算手順を記憶しても良い。
【００５４】
また、比較リース額計算テーブル122には、上記した計算手順の他に、入力データ記憶部130に記憶されたリース物件価格及び前記リース回数、入力データ記憶部130のボーナス加算額記憶部131に記憶された前記ボーナス加算額、リース料率記憶部140に記憶されたリース料率、並びに変化率記憶部150のボーナス調整額記憶部151に記憶されたボーナス調整額にもとづき、リースプラン比較演算手段100により複数の比較リース額を求めるための計算手順を記憶しても良い。
【００５５】
さらに、比較リース額計算テーブル122は、上記した計算手順の他に、入力データ記憶部130に記憶されたリース物件価格及び前記リース回数、入力データ記憶部130の残存価格記憶部132に記憶されたリース残存価格、リース料率記憶部140に記憶されたリース料率、並びに変化率記憶部150の残存価格調整額記憶部152に記憶されたリース残存価格調整額にもとづき、リースプラン比較演算手段100により複数の比較リース額を求めるための計算手順を記憶しても良い。
（リースプラン比較演算手段）
前記リースプラン比較演算手段100には、例えばＣＰＵ（図示せず）が相当し、ＣＰＵが上記プログラム記憶エリア120に記憶されたプログラムを実行することで、リースプラン比較演算手段100として機能する。
【００５６】
上記リースプラン比較演算手段100は、データ記憶エリア110に記憶されたデータにもとづいて、プログラム記憶エリア120に記憶された前記プログラムに従ってリースプランを求めるものである。
（周辺機器）
前記周辺機器のうち、表示装置60、印刷装置70、通信装置80は、出力手段として機能する。
【００５７】
そして、リースプラン比較演算手段100より求められた基本リース額及び複数の比較リース額とを、例えばディスプレイ等の表示装置60に表示したり、例えばプリンタ等の印刷装置70で印刷したり、或いはモデム、ファクシミリ等の通信装置50で外部に送信する。
（リースプラン）
上記リースプランは、図２に示すように、Ｆ１〜Ｆ３行に示したファイナンスコースと、Ｍ１〜Ｍ３行に示したメンテナンスコースとに大別される。
【００５８】
前記ファイナンスコースは、図２に示すように、対象商品のみのリースプランである「ホンタイ（本体）コース」（Ｆ１行）と、「ホンタイコース」に加えて購入時諸費用を含んだリースプランである「メンテナシ（メンテナンス無し）コース」（Ｆ２行）と、「メンテナシコース」に加えて経過諸費用等を含んだリースプランである「ショヒヨウ（諸費用）コース」（Ｆ３行）とがある。
【００５９】
前記メンテナンスコースは、図２に示すように、車検等の契約整備を含んだリースプランである「ケイヤク（契約）コース」（Ｍ１行）と、「ケイヤクコース」に加えて定期点検（但し部品代は含まず）を含んだリースプランである「テイキケンサ（定期検査）コース」（Ｍ２行）と、「テイキケンサコース」に加えて全整備、一般消耗部品を含んだリースプランである「フル（フルメンテナンス）コース」（Ｍ３行）とがある。
【００６０】
また、これらのリースプランを演算するために入力するデータとして、図２に示すように、課税対象価格、購入時費用、経過時費用、リース期間、残存価格、ボーナス支払回数、支払方法、メンテ契約、メンテ内容等がある。
前記課税対象価格の入力データには、図２に示すように、本体価格、値引き、デイラー特別（値引き）、特別仕様（カーナビゲーションシステム等）、特別加工、外注加工（幌加工等）、付属品（マット等）、下取価格（課税及び非課税）、前払リース料等の項目がある。
【００６１】
前記購入時費用の入力データには、図２に示すように、取得税、重量税、自動車税、自賠責保険、登録費用（課税及び非課税）、消費税、別途支払等の項目がある。
前記経過時費用の入力データには、図２に示すように、重量税、自動車税、自賠責保険、登録費用（課税及び非課税）、消費税、別途支払等の項目がある。
【００６２】
前記リース期間の入力データには、図２に示しように、軽自動車、２４ヶ月、３６ヶ月、４８ヶ月、６０ヶ月、７２ヶ月、普通乗用車、普通商用車等の項目がある。
前記残存価格の入力データには、図２に示すように、クローズとオープン等の項目がある。この残存価格は、リース物件の車種、排気量、人気度、グレード、仕様、装着機器、使用目的等にもとづいて算出する。
【００６３】
前記支払方法の入力データには、図２に示すように、均等支払、ボーナス支払、不均等支払、シーズン支払（農家、スキー場等に適用）、定期性支払等の項目がある。
前記メンテ契約の入力データには、図２に示すように、契約＊メンテ、定期＊メンテ、フル＊メンテ、車種仕様、特殊仕様、使用地域、使用状況、走行キロ数、管理状況、メンテ＊ナシ等の項目がある。
【００６４】
前記メンテ内容の入力データには、車検整備、定期整備等、臨時整備、オイル、一般部品、タイヤー、バッテリー、Ａ／Ｃ（エアコンディショナー）、４ＷＤ、メンテ＊ナシ等の項目がある。
（入力テーブル）
つぎに、図３、４を用いて、入力テーブルについて説明する。
【００６５】
上記入力テーブルは、記憶手段90に記憶され、データ記憶エリア120、すなわち入力データ記憶部130、リース料率記憶部140及び変化率記憶部150として機能する。
入力テーブルは、図３、４に示すように、１〜５８までの項目から構成されていて、各項目の入力例で示したようなデータが入力される。
【００６６】
入力テーブルは、例えばディスプレイ等からなる表示装置60に表示され、該当項目箇所にカーソルを合わせて、キーボードから等の入力装置40から数値等を入力することにより、入力テーブルにデータを入力、削除、訂正、変更、更新をすることができる。
また、入力データには、計算項目を含まれ、当該項目の説明中に示した計算式にもとづいて演算される。
【００６７】
なお、以下に示した項目は、代表的な入力テーブルを構成する項目の一例であり、この項目中の一部を省略しても良いし、あるいはさらに必要な項目を追加しても良い。
１．「リース会社名」：
・「リース会社名」→入力項目（Ｓ列）
・例）入力文字：「Ｎｉｐｐｏｎ」
２．「リース項目＊回」：
・「リース項目＊回」→入力項目（Ｔ列）
・例）入力値：「４８」回
３．「税率  Ｎｏ１＊Ｎｏ２」：
・「税率  Ｎｏ１」→入力項目（Ｔ列）
・例）入力値：「３」％
・「税率  Ｎｏ２」→入力項目（Ｕ列）
・例）入力値：「３」％
４．「車両本体価格」：
・「車両本体価格」→入力項目（Ｓ列）
・例）Ｓ列→「４，３６０，０００」円
・「車両本体価格」（消費税）→計算項目（Ｔ列）
・計算式：「車両本体価格」×（「税率Ｎｏ１」／１００）
・例）計算値：「１３０，８００」円
５．「特別仕様１」：
・「特別仕様１」→入力項目（Ｓ列）
・例）入力値：「無し」円
・「特別仕様１」（消費税）→計算項目（Ｔ列）
・計算式：「特別仕様１」×（「税率Ｎｏ１」／１００）
・例）計算値：「無し」円
６．「特別仕様２」：
・「特別仕様２」→入力項目（Ｓ列）
・例）入力値：「無し」円
・「特別仕様２」（消費税）→計算項目（Ｔ列）
・計算式：「特別仕様２」×（「税率Ｎｏ２」／１００）
・例）計算値：「無し」円
７．「特殊加工」：
・「特殊加工」→入力項目（Ｓ列）
・例）入力値：「無し」円
・「特殊加工」（消費税）→計算項目（Ｔ列）
・計算式：「特殊加工」×（「税率Ｎｏ２」／１００）
・例）計算値：「無し」円
８．「外注加工」：
・「外注加工」→入力項目（Ｓ列）
・例）入力値：「無し」円
・「外注加工」（消費税）→計算項目（Ｔ列）
・計算式：「外注加工」×（「税率Ｎｏ２」／１００）
・例）計算値：「無し」円
９．「付属部品」：
・「付属部品」→入力項目（Ｓ列）
・例）入力値：「無し」円
・「付属部品」（消費税）→計算項目（Ｔ列）
・計算式：「付属部品」×（「税率Ｎｏ２」／１００）
・例）計算値：「９６，０００」円
１０．「取得税」：
・「取得税」（購入時）→入力項目（Ｓ列）
・例）入力値：「１９６，２００」円
・「取得税」（回数）→入力項目（Ｔ列）
・例）入力値：「１」回
１１．「重量税」：
・「重量税」（購入時）→入力項目（Ｓ列）
・例）入力値：「７５，６００」円
・「重量税」（年数）→入力項目（Ｔ列）
・例）入力値：「３」年
１２．「自動車税」：
・「自動車税」（購入時）→入力項目（Ｓ列）
・例）入力値：「５１，０００」円
・「自動車税」（年数）→入力項目（Ｔ列）
・例）入力値：「１」年
１３．「自賠責保険料」
・「自賠責保険料」（購入時）→入力項目（Ｓ列）
・例）入力値：「４３，８００」円
・「自賠責保険料」（月数）→入力項目（Ｔ列）
・例）入力値：「３７」月
１４．「登録費用＊課」
・「登録費用」（購入時）→入力項目（Ｓ列）
・例）入力値：「４６，１００」円
・入力項目（Ｔ列）：税率
・例）入力値：「３」％
・「課」→計算項目（Ｕ列）
・計算式：「登録費用」×（「税率」／１００）
・例）計算値：「１，３８３」円
１５．「登録費用＊非」
・「登録費用＊非」（購入時）→入力項目（Ｓ列）
・例）入力値：「６，１１０」円
１６．Ｓ列２１行：
・税合計→計算項目（Ｓ列）
・計算式：「取得税」＋「重量税」「自動車税」＋「自賠責保険料」
＋「登録費用＊課」＋「登録費用＊非」
・例）計算値：「４１８，８１０」円
・消費税合計→計算項目（Ｕ列）
・計算式：「車両本体価格」（消費税）＋「特別仕様１」（消費税）
＋「特別仕様２」（消費税）＋「特殊加工」（消費税）
＋「外注加工」（消費税）＋「付属部品」（消費税）
＋「課」
・例）計算値：「１３５，０６３」円
１７．「重量税」：
・「重量税」（経過時）→入力項目（Ｓ列）
・例）入力値：「５０，４００」円
・「重量税」（回数）→入力項目（Ｔ列）
・例）入力値：「１」回
１８．「自動車税」：
・「自動車税」（経過時）→入力項目（Ｓ列）
・例）入力値：「５１，０００」円
・「自動車税」（年数）→計算項目（Ｔ列）
・計算式：（「リース項目＊回」／１２）−１
・例）：計算値：「３」年
１９．「自賠責保険料」：
・「自賠責保険料」（経過時）→入力項目（Ｓ列）
・例）入力値：「３１，２００」円
・「自賠責保険料」（回数）→入力項目（Ｔ列）
・例）入力値：「１」回
２０．「メンテナンス（サービス）」：
・「メンテナンス（サービス）」（基本料金）→入力項目（Ｓ列）
・例）入力値：「２００」円
・「メンテナンス（サービス）」（回数）→計算項目（Ｔ列）
・計算式：「６ケ月点検」（回数）＋１２ケ月点検（回数）
＋シャケン（回数）
・例）計算値：「７」回
２１．「６ケ月点検」：
・「６ケ月点検」（基本料金）→入力項目（Ｓ列）
・例）入力値：「１０，０００」円
・「６ケ月点検」（回数）→計算項目（Ｔ列）
・計算式：「リース項目＊回」／１２
・例）計算値：「４」回
２２．「１２ケ月点検」：
・「１２ケ月点検」（基本料金）→入力項目（Ｓ列）
・例）入力値：「１２，０００」円
・「１２ケ月点検」（回数）→計算項目（Ｔ列）
・計算式：（「リース項目＊回」／１２）−２
・例）計算値：「２」回
２３．「シャケン」（車検）：
・「シャケン」（基本料金）→入力項目（Ｓ列）
・例）入力値：「７０，０００」円
・「シャケン」（回数）→入力項目（Ｔ列）
・例）入力値：「１」回
２４．「リンケン」（臨時検査）：
・「リンケン」（基本料金）→入力項目（Ｓ列）
・例）入力値：「１３，０００」円
・「リンケン」（回数）→計算項目（Ｔ列）
・計算式：「リース項目＊回」／１２
・例）計算値：「４」回
２５．「ホケン／シャリョウ／ニンイ」
・「ホケン／シャリョウ／ニンイ」（基本料金）→入力項目（Ｓ列）
・例）入力値：「２００」円
・「ホケン／シャリョウ／ニンイ」（回数）→転記項目（Ｔ列）
・計算式：「リース項目＊回」
・例）転記値：「４８」回
２６．「タイヤー」：
・「タイヤー」（基本料金）→入力項目（Ｓ列）
・例）入力値：「２５，０００」円
・「タイヤー」（本数）→入力項目（Ｔ列）
・例）入力値：「４」本
２７．「バッテリー」：
・「バッテリー」（基本料金）→入力項目（Ｓ列）
・例）入力値：「１８，０００」円
・「バッテリー」（個数）→入力項目（Ｔ列）
・例）入力値：「１」個
２８．「オイル」：
・「オイル」（基本料金）→入力項目（Ｓ列）
・例）入力値：「６，５００」円
・「オイル」（回数）→計算項目（Ｔ列）
・計算式：（「リース項目＊回」／６）＋１
・例）計算値：「９」回
２９．「４ＷＤ」：
・「４ＷＤ」（基本料金）→入力項目（Ｓ列）
・例）入力値：「０」円
・「４ＷＤ」（回数）→転記項目（Ｔ列）
・計算式：「リース項目＊回」
・例）転記値：「４８」回
３０．「車種」：
・「車種」（基本料金）→入力項目（Ｓ列）
・例）入力値：「２００」円
・「車種」（回数）→転記項目（Ｔ列）
・計算式：「リース項目＊回」
・例）転記値：「４８」回
３１．「管理手数料＊月」：
・「管理手数料＊月」→入力項目（Ｓ列）
・例）入力値：「０」円
３２．「月額リース」：
・「月額リース」→転記項目（Ｗ列）
・計算式：「ファイナンス（車輌）」
・例）転記値：「５９，６００」円
・「月額リース」（税額）→計算項目（Ｘ列）
・計算式：「月額リース」×（「税率  Ｎｏ２」×１００）
・例）計算値：「１，７８８」円
３３．「月額リース税込」：
・「月額リース税込」→計算項目（Ｗ列）
・計算式：「月額リース」×（１＋（「税率  Ｎｏ２」×１００））
・例）計算値：「６１，３８８」円
３４．「別枠＊ボーナス」：
・「別枠＊ボーナス」→計算項目（Ｗ列）
・計算式：「前払金」
＋（「ボーナス加算」×（「リース項目＊回」／６））
・例）計算値：「１，４００，０００」円
３５．「下取車（課）」：
・「下取車（課）」（基準料金）→入力項目（Ｗ列）
・入力値：「０」円
・「下取車（課）」（税額）→計算項目（Ｗ列）
・計算式：「下取車（課）」×（「税率  Ｎｏ２」×１００）
・例）計算値：「０」円
３６．「下取車（非）」：
・「下取車（非）」→入力項目（Ｗ列）
・入力値：「０」円
３７．「前払金」：
・「前払金」（基準料金）→入力項目（Ｗ列）
・入力値：「１，０００，０００」円
・「前払金」（税額）→計算項目（Ｗ列）
・計算式：「前払金」」×（「税率  Ｎｏ２」×１００）
・例）計算値：「３０，０００」円
３８．「別枠リース料」：
・「別枠リース料」（基準料金）→計算項目（Ｗ列）
・計算式：「下取車（課）」＋「下取車（非）」＋「前払金」
・例）計算値：「１，０００，０００」円
・「別枠リース料」（税額）→計算項目（Ｗ列）
・計算式：「下取車（課）（税額）」＋「前払金（税額）」
・例）計算値：「３０，０００」円
３９．「前払金調整」：
・「前払金調整」→入力項目（Ｗ列）
・例）入力値：「０」円
４０．「ボーナス加算」：
・「ボーナス加算」（基準料金）→入力項目（Ｗ列）
・例）入力値：「５０，０００」円
「ボーナス加算」（税額）→計算項目（Ｗ列）
・計算式：「ボーナス加算」×（「税率  Ｎｏ２」×１００）
・例）計算値：「１，５００」円
４１．「ボーナス調整」：
・「ボーナス調整」（基準料金）→入力項目（Ｗ列）
・例）入力値：「１０，０００」円
「ボーナス調整」（税額）→計算項目（Ｗ列）
・計算式：「ボーナス調整」×（「税率  Ｎｏ２」×１００）
・例）計算値：「３００」円
４２．「残存価格」：
・「残存価格」（基準残価）→入力項目（Ｗ列）
・入力値：「８００，０００」円
・「残存価格」（税額）→計算項目（Ｗ列）
・計算式：「残存価格」×（「税率  Ｎｏ２」×１００）
・例）計算値：「２４，０００」円
４３．「残存調整」：
・「残存調整」（基準残価）→入力項目（Ｗ列）
・例）入力値：「５０，０００」円
・「残存調整」（税額）→計算項目（Ｗ列）
・計算式：「残存調整」×（「税率  Ｎｏ２」×１００）
・例）計算値：「１，５００」円
４４．「契約残存価格」：
・「契約残存価格」→入力項目（Ｗ列）
・例）入力値：「無し」円
４４．「概算残存価格」：
「概算残存価格」：→計算項目（Ｗ列）
・計算式：ＴＲＵＮＣ（（「車両本体価格」＋「特別仕様１」
＋「特別仕様２」＋「特殊加工」＋「外注加工」
＋「付属部品」）
×（（「残存基本率：基本０」＋「残存基本率：基本１」
＋「残存基本率：基本２」＋「残存基本率：基本３」
＋「残存基本率：基本４」＋「残存基本率：基本５」
＋「残存基本率：基本０」）／１００））
／１０００００＋０．６）×１００００
ＴＲＵＮＣ関数：小数点切り捨て
・例）計算値：「７６０，０００」円
４５．「システム料」：
・「システム料」→入力項目（Ｗ列）
・入力値：「０」円
４６．「販売紹介料」：
・「販売紹介料」→入力項目（Ｗ列）
・例）入力値：「０」円
４７．「管理手数料」：
・「管理手数料」：→計算項目（Ｗ列）
・計算式：「管理手数料＊月」−「手数料値引」
・例）計算値：「０」円
４８．「手数料値引」：
・「手数料値引」：→入力項目（Ｗ列）
・例）入力値：「０」円
４９．「基本料率」：
・「基本料率」：入力項目（Ｗ列）
・例）入力値：「８．１０」％
５０．「申込料率＊２．００」
・「申込料率＊２．００」：→入力項目（Ｗ列）
・例）入力値：「０」％
５１．「申込加算＊２００」：
・「申込加算＊２００」：入力項目（Ｗ列）
・入力値：「０」円
５２．「ファイナンス（車輌）」：
・「ファイナンス（車輌）」（月額メンテナンス）（＊基本）
→計算項目（Ｗ列）
・計算式：ＴＲＵＮＣ（（（（「車両本体価格」＋「特別仕様１」
＋「特別仕様２」＋「特殊加工」＋「外注加工」
＋「付属部品」＋「Ｓ列２１行（税合計）」）
＋（「登録費用＊課」＋「登録費用＊非」
＋「Ｓ列２１行（消費税合計）」））
−（「別枠リース料（基準料金）」
＋（「ボーナス加算（基準料金）」
×「リース項目＊回」／６）
＋「残存価格（基準残価）」））／「リース項目＊回」
／１００＋０．６）×１００
ＴＲＵＮＣ関数：小数点切り捨て
・例）計算値：「５９，６００」円
５３．「ファイナンス＊リース」：
・「ファイナンス＊リース」（月額メンテナンス）（＊加算）
→計算項目（Ｗ列）
・計算式：（「取得税」＋「重量税」＋「自動車税」
＋「自賠責保険料」）／「リース項目＊回」
・例）計算値：「７，６３８」円
５４．「ファイナンス＊ショヒヨウ」：
・「ファイナンス＊ショヒヨウ」（月額メンテナンス）（＊加算）
→計算項目（Ｗ列）
・計算式：（「取得税」＋「重量税」＋「自動車税」
＋「自賠責保険料」）／「リース項目＊回」
＋（（（「重量税（経過時）」×「重量税（回数）」）
＋（「自動車税（経過時）」×「自動車税（年数）」）
＋（「自賠責保険料（経過時）」
×「自賠責保険料（回数）」））／「リース項目＊回」
・例）計算値：「１２，５２５」円
５５．「メンテ＊ケイヤク」：
・「メンテ＊ケイヤク」（月額メンテナンス）→計算項目（Ｗ列）
・計算式：ＴＲＵＮＣ（（（（（「シャケン（基本料金）」×
「シャケン（回数）」）
＋（「メンテナンス（サービス）（基本料金）」
×「リース項目＊回」×「シャケン（回数）」）
＋（「ホケン／シャリョウ／ニンイ（基本料金）」
×「ホケン／シャリョウ／ニンイ（回数）」）
＋（「車種（基本料金）」×「車種」（回数））
＋「オイル（基本料金）」／「リース項目＊回」）
／１００）＋０．６）＊１００
・例）計算値：「２，２００」円
・「メンテ＊ケイヤク」（税額）：計算式（Ｘ列）
・計算式：「メンテ＊ケイヤク（月額メンテナンス）」
×（「税率  Ｎｏ２」／１００）
・例）計算値：「６６」円
５６．「メンテ＊テイキケンサ」：
・「メンテ＊テイキケンサ」（月額メンテナンス）
→計算項目（Ｗ列）
・計算式：ＴＲＵＮＣ（（（（（「シャケン（基本料金）」×
「シャケン（回数）」）
＋（「１２ケ月点検（基本料金）」
×「１２ケ月点検（回数）」）
＋（「６ケ月点検（基本料金）」
×「６ケ月点検（回数）」）
＋（「オイル（基本料金）」×「オイル（回数）」）
＋（「メンテナンス（サービス）（基本料金）」
×「リース項目＊回」
×「メンテナンス（サービス）（回数）」）
＋（「リンケン（基本料金）」×「リンケン（回数）」）
＋（「ホケン／シャリョウ／ニンイ（基本料金）」
×「ホケン／シャリョウ／ニンイ（回数）」）
＋（「４ＷＤ（基本料金）」×「４ＷＤ（回数）」）
＋（「車種（基本料金）」×「車種」（回数）））
／「リース項目＊回」）／１００）＋０．６）＊１００
・例）計算値：「６，９００」円
・「メンテ＊テイキケンサ」（税額）：計算式（Ｘ列）
・計算式：「メンテ＊テイキケンサ（月額メンテナンス）」
×（「税率  Ｎｏ２」／１００）
・例）計算値：「２０７」円
５７．「メンテ＊フル」：
・「メンテ＊フル」（月額メンテナンス）→計算項目（Ｗ列）
・計算式：ＴＲＵＮＫ（（（（（「シャケン（基本料金）」×
「シャケン（回数）」）
＋（「１２ケ月点検（基本料金）」
×「１２ケ月点検（回数）」）
＋（「６ケ月点検（基本料金）」
×「６ケ月点検（回数）」）
＋（「メンテナンス（サービス）（基本料金）」×２
×「リース項目＊回」
×「メンテナンス（サービス）（回数）」）
＋（「リンケン（基本料金）」×「リンケン（回数）」）
＋（「ホケン／シャリョウ／ニンイ（基本料金）」×２
×「ホケン／シャリョウ／ニンイ（回数）」）
＋（「タイヤー（基本料金）」×「タイヤー（本数）」）
＋（「バッテリー（基本料金）」
×「バッテリー」（個数）」）
＋（「オイル（基本料金）」×「オイル（回数）」）
＋（「４ＷＤ（基本料金）」×「４ＷＤ（回数）」）
＋（「車種（基本料金）」×２×「車種（回数）」）
／「リース項目＊回」）／１００）＋０．６）＊１００
・例）計算値：「１１，２００」円
・「メンテ＊フル」（税額）：計算式（Ｘ列）
・計算式：「メンテ＊フル（月額メンテナンス）」
×（「税率  Ｎｏ２」／１００）
・例）計算値：「３３６」円
５８．「メンテ＊標準」：
・「メンテ＊標準」：→入力項目（Ｗ列）
・例）入力値：「０」円
（データテーブル）
つぎに、図５、６を用いて、データテーブルについて説明する。
【００６８】
上記データテーブルは、先に説明した入力テーブル（図３，４）とともに、記憶手段90に記憶され、データ記憶エリア120、すなわち入力データ記憶部130、リース料率記憶部140及び変化率記憶部150として機能するが、本データテーブル内のデータを入力テーブルや他のテーブルにコピーしたり、転記して使用する。
データテーブルは、図５に示す第１データテーブルと、図６に示す第２データテーブルとから構成されている。
（第１データテーブル）
上記第１データテーブルには、図５に示すように、各リース物件ごとの諸費用等が記憶されている。
【００６９】
具体的内容は、以下に示す１〜２８の項目及びデータ値からなる。
なお、以下に示した項目は、代表的な第１データテーブルを構成する項目の一例であり、この項目中の一部を省略しても良いし、あるいはさらに必要な項目を追加しても良い。
１．リース会社名：
・リース会社名：→データ項目（Ｒ列）
２．リース項目＊回：
・ リース項目＊回：→データ項目（Ｒ列）
３．税率  Ｎｏ．１＊Ｎｏ．２：
・税率  Ｎｏ．１＊Ｎｏ．２：→データ項目（Ｒ列）
４．車両本体価格：
・車両本体価格：→データ項目（Ｒ列）
５．特別仕様１：
・特別仕様１：→データ項目（Ｒ列）
６．特別仕様２：
・特別仕様２：→データ項目（Ｒ列）
７．特殊加工：
・特殊加工：→データ項目（Ｒ列）
８．外注加工：
・外注加工：→データ項目（Ｒ列）
９．付属部品：
・付属部品：→データ項目（Ｒ列）
１０．車種、回数：
・車種、回数：→データ項目（Ｃ列〜Ｑ列）
・例）データ値「軽貨」
１１．取得税：
・取得税：→データ項目（Ｃ列〜Ｑ列）
１２．重量税：
・重量税：回数別重量税：
→データ項目（Ｃ列、Ｅ列、Ｇ列〜Ｋ列、Ｍ列〜Ｐ列）
・例）データ値：「８，８００」円
１３．自動車税：
・自動車税：回数別自動車税：
→データ項目（Ｃ列、Ｅ列、Ｇ列〜Ｋ列、Ｍ列〜Ｐ列）
・例）データ値：「４，０００」円
１４．自賠責保険料：
・自賠責保険料：回数別自賠責保険料
→データ項目（Ｃ列、Ｅ列、Ｇ列〜Ｋ列、Ｍ列〜Ｐ列）
・例）データ値：「２１，６００」円
１５．登録費用＊課：
・登録費用＊課：登録費用課税
→データ項目（Ｃ列、Ｅ列、Ｇ列〜Ｋ列、Ｍ列〜Ｐ列）
・例）データ値：「２８１，０００」円
１６．登録費用＊非：
・登録費用＊非：登録費用非課税
→データ項目（Ｃ列、Ｅ列、Ｇ列〜Ｋ列、Ｍ列〜Ｐ列）
・例）データ値：「２，５６０」円
１７．メンテナンス（サービス）：
・メンテナンス（サービス）：
→データ項目（Ｃ列、Ｅ列、Ｇ列〜Ｋ列、Ｍ列〜Ｐ列）
・例）データ値：「１００」円
１８．６ヶ月点検：
・６ヶ月点検：
→データ項目（Ｃ列、Ｅ列、Ｇ列〜Ｋ列、Ｍ列〜Ｐ列）
・例）データ値：「６，０００」円
１９．１２ヶ月点検：
・１２ヶ月点検：
→データ項目（Ｃ列、Ｅ列、Ｇ列〜Ｋ列、Ｍ列〜Ｐ列）
・例）データ値：「８，５００」円
２０．シャケン：
・シャケン：→データ項目（Ｃ列、Ｅ列、Ｇ列〜Ｋ列、Ｍ列〜Ｐ列）
・例）データ値：「４５，０００」円
２１．リンケン：
・リンケン：→データ項目（Ｃ列、Ｅ列、Ｇ列〜Ｋ列、Ｍ列〜Ｐ列）
・例）データ値：「１０，０００」円
２２．ホケン／シャリョウ／ニンイ：
・ホケン／シャリョウ／ニンイ：
→データ項目（Ｃ列、Ｅ列、Ｇ列〜Ｋ列、Ｍ列〜Ｐ列）
・例）データ値：「１００」円
２３．タイヤー：
・タイヤー：→データ項目（Ｃ列、Ｅ列、Ｇ列〜Ｋ列、Ｍ列〜Ｐ列）
・例）データ値：「８，０００」円
２４．バッテリー：
・バッテリー：
→データ項目（Ｃ列、Ｅ列、Ｇ列〜Ｋ列、Ｍ列〜Ｐ列）
・例）データ値：「８，０００」円
２５．オイル：
・オイル：→データ項目（Ｃ列、Ｅ列、Ｇ列〜Ｋ列、Ｍ列〜Ｐ列）
・例）データ値：「４，５００」円
２６．４ＷＤ：
・４ＷＤ：→データ項目（Ｃ列、Ｅ列、Ｇ列〜Ｋ列、Ｍ列〜Ｐ列）
・例）データ値：「０」円
２７．車種：
・車種：→データ項目（Ｃ列、Ｅ列、Ｇ列〜Ｋ列、Ｍ列〜Ｐ列）
・例）データ値：「１００」円
２８．管理手数料：
・管理手数料：
→データ項目（Ｃ列、Ｅ列、Ｇ列〜Ｋ列、Ｍ列〜Ｐ列）
・例）データ値：「２０，０００」円
（第２データテーブル）
前記第２データテーブルには、図６に示すように、各リース物件ごとの車検回数等が記憶されている。
【００７０】
具体的内容は、以下に示す１〜７の項目及びデータ値からなる。
なお、以下に示した項目は、代表的な第２データテーブルを構成する項目の一例であり、この項目中の一部を省略しても良いし、あるいはさらに必要な項目を追加しても良い。
１．車種：
・車種：→データ項目（ＡＲ列）
・例）データ値：「軽貨３」
２．車検：
・車検：車検、回数→データ項目（ＡＳ列）
・例）データ値：「１」回
３．法定１２：
・法定１２：法定１２ヶ月点検、回数→データ項目（ＡＴ列）
・例）データ値：「１」回
４．安検６：
・安検６：６ヶ月安全検査、回数→データ項目臨検（ＡＵ列）
・例）データ値：「３」回
５．臨検：
・臨検：臨時検査、回数→データ項目（ＡＳ列）
・例）データ値：「３」回
６．点検２：
・点検２：点検、回数→データ項目（ＡＴ列）
・例）データ値：「０」回
７．初検１：
・初検１：初回検査、回数→データ項目（ＡＵ列）
・例）データ値：「１」回
（計算テーブル）
つぎに、図７〜１２を用いて、計算テーブルについて説明する。
【００７１】
上記計算テーブルは、記憶手段120に記憶され、プログラム記憶エリア120、すなわち基本リース額計算テーブル121及び比較リース額計算テーブル122として機能する。
なお、計算テーブルを、図７〜１２に示すように、第１〜第３計算テーブルに分割しているが、実際は第１〜第３計算テーブルは上下に連続して設けられている。
【００７２】
上記計算テーブルは、図７〜１２に示すように、以下に示すような１〜９２までの項目から構成されていて、入力テーブルで入力された入力データ、第１，２データテーブルに記憶された記憶データとを使用して、各項目の計算式にもとづいて演算が行われ、計算例で示したようなデータが計算値として記憶される。各項目に示した計算値例は、ＡＭ列の値を示す。
【００７３】
なお、以下に示した項目は、代表的な計算テーブルを構成する項目の一例であり、この項目中の一部を省略しても良いし、あるいはさらに必要な項目を追加しても良い。
まず、図７，１０に示す第１計算テーブルを用いて以下に説明する。
１．「リース項目」：
・リース期間、回数
２．「項目＊コース」：
・項目＊コース  Ｎｏ．
３．「車両本体価格」：
・購入時、車両本体価格
・例）計算値「４，３６０，０００」円
４．「値引き」：
・購入時、値引き
・例）計算値「２００，０００」円
５．「デイラー特別」：
・購入時、デイラー特別値引き
・例）計算値「０」円
６．「課税対象価格」：
・「課税対象価格」＝「車両本体価格」
−（「値引き」＋「デイラー特別」）
・普通乗用車は基本課税。
【００７４】
・例）計算値「４，１６０，０００」円
７．「特別仕様１」：
・普通乗用車のみ税率が基本課税となる。
・例）計算値「０」円
８．「特別仕様２」：
・一般消費税率適用。
【００７５】
・例）計算値「０」円
９．「特殊加工」：
・一般消費税率適用。
・例）計算値「０」円
１０．「外注加工」：
・一般消費税率適用。
【００７６】
・例）計算値「０」円
１１．「付属部品」：
・一般消費税率適用。
・例）計算値「９６，０００」円
１２．「車両小計Ａ」：
・「車輌小計Ａ」＝「課税対象価格」＋「特別仕様１」
＋「特別仕様２」＋「特殊加工」＋「外注加工」
＋「付属部品」
・例）計算値「４，２５６，０００」円
１３．「下取車（課）」：
・法人所有の車両のみ一般消費税率適用。
【００７７】
・例）計算値「０」円
１４．「下取車（非）」：
・個人所有の車両は消費税適用外。
・例）計算値「０」円
１５．「前払金」：
・一般消費税率適用し消費税は入金を要す。
【００７８】
・例）計算値「１，０００，０００」円
１６．「別枠小計Ｂ」：
・「別枠小計Ｂ」＝「下取車（課）」＋「下取車（非）」
＋「前払金」
・例）計算値「１，０００，０００」円
１７．「取得税」：
・新規購入時、取得税
・例）計算値「１９６，２００」円
１８．「重量税」：
・新規購入時、重量税
・例）計算値「７５，６００」円
１９．「自動車税」：
・新規購入時、自動車税
・例）計算値「５１，０００」円
２０．「自賠責保険料」：
・新規購入時、自賠責保険料
・例）計算値「４３，８００」円
２１．「登録費用＊課」：
・新規購入時、登録費用＊課税分。
【００７９】
・例）計算値「４６，１００」円
２２．「登録費用＊非」：
・新規購入時、税、印紙等が非課税。
・例）計算値「６，１１０」円
２３．「登録時＊費用」：
・「登録時＊費用」＝「取得税」＋「重量税」＋「自動車税」
＋「自賠責保険料」＋「登録費用＊課」
＋「登録費用＊非」
・例）計算値「４１８，８１０」円
２４．「車両取得額」：
・「車両取得額」＝「車両小計Ａ」＋「取得税」＋「登録費用＊課」
＋「登録費用＊非」＋「販売紹介料」
・例）計算値「４，５０４，４１０」円
２５．「消費税」：
・「消費税」＝（「車両取得額」＋「販売紹介料」
＋「システム料」）×「消費税率」
・例）計算値「１３５，０６３」円
２６．「重量税」：
・継続時、重量税分×期間
・例）計算値「５０，４００」円
２７．「自動車税」：
・継続時、自動車税×期間
・例）計算値「１５３，０００」円
２８．「自賠責保険料」：
・継続時、自賠責保険料×期間
・例）計算値「３１，２００」円
２９．「システム料」：
・期間中のシステム料の合計金額。
【００８０】
・例）計算値「０」円
３０．「経過費用１」：
・「経過費用１」＝（「自動車税」×「回数」）
＋「システム料」＋「販売紹介料」
・例）計算値「１５３，０００」円
３１．「経過時費用２」：
・「経過時費用２」＝（「重量税」×「車検回数」）
＋（「自動車税」×「年数」）
＋（「自賠責保険料」×「回数」）
＋「システム料」＋「販売紹介料」
・例）計算値「２３４，６００」円
３２．「販売紹介料」：
・販売紹介料＝販売紹介者。（業者関係のみ。）
・例）計算値「０」円
３３．「メンテ＊ナシ」：
・ノン＊メンテナンス
・例）計算値「０」円
３４．「メンテ＊ケイヤク」：
・「メンテ＊ケイヤク」＝（「契約修理、車検金額」×「回数」）
／「期間」
・例）計算値「２，２００」円
３５．「メンテ＊テイキケンサ」：
・「メンテ＊テイキケンサ」＝（「車検」＋「点検」
＋「オイル」金額）／期間
・部品等は含まず。
【００８１】
・例）計算値「６，９００」円
つぎに、図８，１１に示す第２計算テーブルを用いて以下に説明する。
３６．「メンテ＊フル」：
・「メンテ＊フル」＝（「車検」＋「点検」
＋「オイル」＋「部品」金額）／期間
・任意保険は別途。
【００８２】
・例）計算値「１１，２００」円
３７．「残存価格」：
・残存価格設定はメイカー、車種、種別、走行距離、
モデルチェンジ期間、人気度、契約期間、終了時の予想
（車両価値）等に十分に注意し決定。
【００８３】
・例）計算値「８００，０００」円
３８．「減価償却費」：
・「減価償却費」＝「車両小計Ａ」−「残存価格」
・例）計算値「３，４５６，０００」円
３９．「別枠リース料」：
・「別枠リース料」
＝「別枠小計」
＝「下取車（課）」＋「下取車（非）」＋「前払金」
・例）計算値「１，０００，０００」円
４０．「小計Ｆ」：
・「小計Ｆ」＝「システム料」＋「減価償却費」−「別枠リース料」
・例）計算値「２，４５６，０００」円
４１．「小計Ｍ１」：
・「小計Ｍ１」＝「登録時＊費用」＋「経過費用１」
＋「減価償却費」−「別枠リース料」
・例）計算値「３，０２７，８１０」円
４２．「小計Ｍ２」：
・「小計Ｍ２」＝「登録時＊費用」＋「経過時費用２」
＋「減価償却費」−「別枠リース料」
・例）計算値「３，１０９，４１０」円
４３．「リース元金Ｆ」：
・「リース元金Ｆ」＝「小計Ｆ」＋「金利小計０」
・例）計算値「３，３８３，６００」円
４４．「リース元金Ｍ１」：
・「リース元金Ｍ１」＝「小計Ｍ１」＋「金利小計Ａ」
・例）計算値「３，９８５，０１０」円
４５．「リース元金Ｍ２」：
・「リース元金Ｍ２」＝「小計Ｍ２」＋「金利小計Ｂ」
・例）計算値「４，０６６，６１０」円
４６．「管理手数料」：
・メンテナンス管理費（通信連絡、送金料等の管理費用。）
・管理手数料に付いては金利は計算されない。
【００８４】
・大手リース社月￥１，０００
・例）計算値「０」円
４７．「支払総額Ｆ１」：
・「支払総額Ｆ１」＝「リース元金Ｆ」
＋（「管理手数料」×「回数」）
＋「申込加算」
・例）計算値「３，３８３，６００」円
４８．「支払総額Ｆ２」：
・「支払総額Ｆ２」＝「リース元金Ｍ１」
＋（「管理手数料」×「回数」）
＋「申込加算」
・例）計算値「３，９８５，０１０」円
４９．「支払総額Ｆ３」：
・「支払総額Ｆ３」＝「リース元金Ｍ２」
＋（「管理手数料」×「回数」）
＋「申込加算」
・例）計算値「４，０６６，６１０」円
５０．「支払総額Ｍ１」：
・「支払総額Ｍ１」＝「リース元金Ｍ２」
＋（「管理手数料」×「回数」）
＋「メンテ＊ケイヤク」
＋「申込加算」
・例）計算値「４，１７２，２１０」円
５１．「支払総額Ｍ２」：
・「支払総額Ｍ２」＝「リース元金Ｍ２」
＋（「管理手数料」×「回数」）
＋「メンテ＊テイキケンサ」
＋「申込加算」
・例）計算値「４，３９７，８１０」円
５２．「支払総額Ｍ３」：
・「支払総額Ｍ３」＝「リース元金Ｍ２」
＋（「管理手数料」×「回数」）
＋「メンテ＊フル」
＋「申込加算」
・例）計算値「４，６０４，２１０」円
５３．「ボーナス加算」：
・ボーナス加算６ケ月各に消費税と共に月リース料に加算する金額。
【００８５】
・例）計算値「５０，０００」円
５４．「月支払総額Ｆ１」：
・「月支払総額Ｆ１」＝「支払総額Ｆ１」
−（「ボーナス加算」×「回数」）
・例）計算値「２，９８３，６００」円
５５．「月支払総額Ｆ２」：
・「月支払総額Ｆ２」＝「支払総額Ｆ２」
−（「ボーナス加算」×「回数」）
・例）計算値「３，５８５，０１０」円
５６．「月支払総額Ｆ３」：
・「月支払総額Ｆ３」＝「支払総額Ｆ３」
−（「ボーナス加算」×「回数」）
・例）計算値「３，６６６，６１０」円
５７．「月支払総額Ｍ１」：
・「月支払総額Ｍ１」＝「支払総額Ｍ１」
−（「ボーナス加算」×「回数」）
・例）計算値「３，７７２，２１０」円
５８．「月支払総額Ｍ２」：
・「月支払総額Ｍ２」＝「支払総額Ｍ２」
−（「ボーナス加算」×「回数」）
・例）計算値「３，９９７，８１０」円
５９．「月支払総額Ｍ３」：
・「月支払総額Ｍ３」＝「支払総額Ｍ３」
−（「ボーナス加算」×「回数」）
・例）計算値「４，２０４，２１０」円
６０．「月額リース料Ｆ１」：
・「月額リース料Ｆ１」＝「月支払総額Ｆ１」／「回数」
・例）計算値「６２，２００」円
６１．「月額リース料Ｆ２」」：
・「月額リース料Ｆ２」＝「月支払総額Ｆ２」／「回数」
・例）計算値「７４，７００」円
６２．「月額リース料Ｆ３」：
・「月額リース料Ｆ３」＝「月支払総額Ｆ３」／「回数」
・例）計算値「７６，４００」円
６３．「月額リース料Ｍ１」：
・「月額リース料Ｍ１」＝「月支払総額Ｍ１」／「回数」
・例）計算値「７８，６００」円
６４．「月額リース料Ｍ２」：
・「月額リース料Ｍ２」＝「月支払総額Ｍ２」／「回数」
・例）計算値「８３，３００」円
６５．「月額リース料Ｍ３」：
・「月額リース料Ｍ３」＝「月支払総額Ｍ３」／「回数」
・例）計算値「８７，６００」円
６６．「月リース税込Ｆ１」：
・「月リース税込Ｆ１」＝「月額リース料Ｆ１」＋「消費税」
・例）計算値「６４，０６６」円
６７．「月リース税込Ｆ２」：
・「月リース税込Ｆ２」＝「月額リース料Ｆ２」＋「消費税」
・例）計算値「７６，９４１」円
６８．「月リース税込Ｆ３」：
・「月リース税込Ｆ３」＝「月額リース料Ｆ３」＋「消費税」
・例）計算値「７８，６９２」円
６９．「月リース税込Ｍ１」：
・「月リース税込Ｍ１」＝「月額リース料Ｍ１」＋「消費税」
・例）計算値「８０，９５８」円
７０．「月リース税込Ｍ２」：
・「月リース税込Ｍ２」＝「月額リース料Ｍ２」＋「消費税」
・例）計算値「８５，７９９」円
７１．「月リース税込Ｍ３」：
・「月リース税込Ｍ３」＝「月額リース料Ｍ３」＋「消費税」
・例）計算値「９０，２２８」円
７２．「金利対象額Ｆ」：
・「金利対象額Ｆ」＝「車両取得額」＋「消費税」
＋（「システム料」＋「消費税」）
＋（「管理手数料」×「回数」）
・例）計算値「４，６３９，４７３」円
７３．「金利対象額Ｍ」：
・「金利対象額Ｍ」＝「車両取得額」＋「消費税」＋「重量税」
＋「自動車税」＋「自賠責保険料」
＋（「システム料」＋「消費税」）
＋（「管理手数料」×「回数」）
・例）計算値「４，８０９，８７３」円
７４．「金利・０１」：
・「残存金利・０１」＝「残存価格」
×（「ファイナンス＊残価・１」
／「月利率」）
×「回数」
・例）計算値「２５９，２００」円
７５．「金利・０１０」：
・「残存金利・０１０」＝「残存価格」
×（「ファイナンス＊残価・１」
／「月利率」）
×「回数」
・例）計算値「２５９，２００」円
７６．「金利・０１１」：
・「残存金利・０１１」＝「残存価格」
×（「メンテナンス＊残価・１」
／「月利率」）
×「回数」
・例）計算値「２５９，２００」円
７７．「金利・０２」：
・「償却金利・０２」＝（（「金利対象額Ｆ」−「経過時費用２」）
×「ファイナンス＊消却・２」）
・例）計算値「６６８，４００」円
７８．「金利・０２１」：
・「償却金利・０２１」＝（（「金利対象額Ｍ」−「経過時費用２」）
×「ファイナンス＊消却・２」）
・例）計算値「６９８，０００」円
７９．「金利・０２２」：
・「償却金利・０２２」＝（（「金利対象額Ｍ」−「経過時費用２」）
×「メンテナンス＊消却・２」）
・例）計算値「６９８，０００」円
最後に、図９，１２に示す第３計算テーブルを用いて以下に説明する。
８０．「金利・０３」：
・「別枠金利・０３」＝−「別枠リース料」
×（（「申込料率」／「月利率」）
×０．０４４  ）×回数
・例）計算値「０」円
８１．「金利・０３１」：
・「別枠金利・０３２」＝−「別枠リース料」
×（（「申込料率」／「月利率」）
×０．０４４  ）×回数
・例）計算値「０」円
８２．「金利・０３２」：
・「別枠金利・０３２」＝−「別枠リース料」
×（（「申込料率」／「月利率」）
×０．０４４  ）×回数
・例）計算値「０」円
８３．金利小計０：
・Ｆ１のみ、
・「金利小計０」＝「金利・０１」＋「金利・０２」
＋「金利・０３」
・例）計算値「９５７，６００」円
８４．金利小計Ａ：
・Ｆ２，３、
・「金利小計Ａ」＝「金利・０１０」＋「金利・０２１」
＋「金利・０３１」
・例）計算値「９５７，２００」円
８５．金利小計Ｂ：
・Ｍ、
・「金利小計Ｂ」＝「金利・０１１」＋「金利・０２２」
＋「金利・０３２」
・例）計算値「９５７，２００」円
８６．「申込料率」：
・申込料率は基本料率に準じて減算する。
【００８６】
（長期プライムレートに注意）
・例）計算値「０．００」
８７．「申込加算＊２００」：
・申込加算＊２００は月一般に計算する。
・例）計算値「０」
８８．「基本料率」：
・基本料率は車種、種別、月数、長期プライムレート等により変化す
る。
【００８７】
・例）計算値「８．１０」
８９．「ファイナンス＊残価・１」：
・「ファイナンス＊残価・１」＝「基本料率」＋「加算料率」
・例）計算値「８．１０」
９０．「メンテナンス＊残価・１」：
・「メンテナンス＊残価・１」＝「ファイナンス＊残価・１」
＋「加算料率」
・例）計算値「８．１０」
９１．「ファイナンス＊消却・２」：
・「ファイナンス＊消却・２」＝（（「ファイナンス＊残価率」
／１２／１００）
／（１−１
／（１＋（「ファイナンス＊残価率」
／１２／１００））＾「回数」）
−１／「回数」）＊「回数」＊１００
・例）計算値「１７．４１」
９２．「メンテナンス＊消却・２」：
・「メンテナンス＊消却・２」＝（（「メンテナンス＊残価率」
／１２／１００）
／（１−１
／（１＋（「メンテナンス＊残価率」
／１２／１００））＾「回数」）
−１／「回数」）＊「回数」＊１００
・例）計算値「１７．４１」
（出力様式テーブル）
つぎに、図１３〜１６を用いて、出力様式テーブルの構成及び具体例を説明する。
【００８８】
上記出力様式テーブルは、記憶手段90に記憶され、当該出力様式テーブルには、出力手段、すなわち表示装置60、印刷装置70、通信装置80により出力されるデータが記憶されている。
なお、出力様式テーブルを、図１３〜１６に示すように、第１，第２出力様式テーブルに分割しているが、実際は第１，第２出力様式テーブルは上下に連続して設けられている。
【００８９】
出力様式テーブルは、図１３〜１６に示すように、以下に示すような１〜６７までの項目から構成されていて、先に説明した計算テーブルにより演算した計算値が、ボーナス加算額の変更あるいは残存価格の変更にもとづいて複数のリースプランとして記憶される。
出力様式テーブルは、例えばディスプレイ等からなる表示装置60に表示されたり、例えばプリンタ等からなる印刷装置70により印刷されたり、モデム等の通信装置80を介して出力される。リース項目以下の各項目に示した表示値例は、基準値であるＡＭ列の値を示す。
【００９０】
なお、以下に示した項目は、代表的な出力様式テーブルを構成する項目の一例であり、この項目中の一部を省略しても良いし、あるいはさらに必要な項目を追加しても良い。
まず、図１３，１５に示す第１出力様式テーブルを用いて以下に説明する。
１．「車両本体価格」：
・「車両本体価格」：→表示項目（ＡＥ列）
・例）表示値：「４，３６０，０００」円
２．「特別仕様１」：
・「特別仕様１」：→表示項目（ＡＥ列）
・例）表示値：「０」円
３．「特別仕様２」：
・「特別仕様２」：→表示項目（ＡＥ列）
・例）表示値：「０」円
４．「特殊加工」：
・「特殊加工」：→表示項目（ＡＥ列）
・例）表示値：「０」円
５．「外注加工」：
・「外注加工」：→表示項目（ＡＥ列）
・例）表示値：「０」円
６．「付属部品」：
・「付属部品」：→表示項目（ＡＥ列）
・例）表示値：「９６，０００」円
７．「消費税」
・課税対象に対する消費税→表示項目（ＡＧ列）
・例）表示値：「１３０，８００」円、「２，８８０」円、
「１，３８３」円
８．ＡＧ列６５行：
・消費税合計→表示項目（ＡＧ列）
・計算式：「消費税」＋「消費税」＋・・・＋「消費税」
・例）計算値：「１３５，０６３」円
９．「取得税」：
・「取得税」：→表示項目（ＡＩ列）
・例）表示値：「１９６，２００」円
１０．「重量税」：
・「重量税」：→表示項目（ＡＩ列）
・例）表示値：「７５，６００」円
１１．「自動車税」：
・「自動車税」：→表示項目（ＡＩ列）
・例）表示値：「５１，０００」円
１２．「自賠責」：
・「自賠責」：→表示項目（ＡＩ列）
・例）表示値：「４３，８００」円
１３．「登録費用（非課税）」：
・「登録費用（非課税）」：→表示項目（ＡＩ列）
・例）表示値：「６，１１０」円
１４．「登録費用（課税）」：
・「登録費用（課税）」：→表示項目（ＡＩ列）
・例）表示値：「４６，１００」円
１５．「登録時＊費用」：→表示項目（ＡＩ列）
・「登録時＊費用」：
・計算式：「取得税」＋「重量税」＋「自動車税」＋「自賠責」
＋「登録費用（非課税）」＋「登録費用（課税）」
・例）計算値：「４１８，８１０」円」
１６．「現金購入」：
・「現金購入」：→表示項目（ＡＥ列）
・計算式：「車両本体価格」＋「特別仕様１」＋「特別仕様２」
＋「特殊加工」＋「外注加工」＋「付属部品」
・例）計算値：「４，４５６，０００」円
１７．ＡＥ列６６行
・「現金購入」と「消費税（合計）」との計
・計算式：「現金購入」＋「消費税（合計）」：
→表示項目（ＡＧ列）
・例）計算値：「４，５９１，０６３」円
１８．ＡＩ列６６行
・「現金購入」と「消費税（合計）」と「登録時＊費用」との合計
・計算式：「現金購入」＋「消費税（合計）」＋「登録時＊費用」
・例）計算値：「５，００９，８７３」円
１９．基本経過：
・基本経過：→表示項目（ＡＪ列）
２０．支払回数：
・支払回数：→表示項目（ＡＫ列）
・例）「４８」回
２１．経過時＊費用：
・経過時＊費用：→表示項目（ＡＬ列）
・経過時＊費用（合計）→表示項目（ＡＬ列）
２２．ファイナンス＊リース：
・ファイナンス＊リース：（経過時＊費用１）→表示項目（ＡＮ列）
・経過時＊費用１（合計）→表示項目（ＡＮ列）
２３．メンテナンス＊リース：
・ファイナンス＊リース：（経過時＊費用２）→表示項目（ＡＰ列）
・経過時＊費用２（合計）→表示項目（ＡＰ列）
２４．リース項目（登録時＊費用）：
・登録時＊費用：→表示項目（ＡＥ列、ＡＨ列〜ＡＰ列）
・例）表示値：「４１８，８１０」円
２５．リース項目（経過時費用１）：
・経過時費用１：→表示項目（ＡＥ列、ＡＨ列〜ＡＰ列）
・例）表示値：「１５３，０００」円
２６．リース項目（経過時費用２）：
・経過時費用２：→表示項目（ＡＥ列、ＡＨ列〜ＡＰ列）
・例）表示値：「２３４，６００」円
２７．リース項目（前払金＊下取車）：
・前払金＊下取車：→表示項目（ＡＥ列、ＡＨ列〜ＡＰ列）
・例）表示値：「１，０００，０００」円
２８．リース項目（ボーナス加算）：
・ボーナス加算：→表示項目（ＡＥ列、ＡＨ列〜ＡＰ列）
・例）表示値：「５０，０００」円
２９．リース項目（残存価格）：
・残存価格：→表示項目（ＡＥ列、ＡＨ列〜ＡＰ列）
・例）表示値：「８００，０００」円
３０．リース項目（消費税）：
・リース項目（消費税）：→表示項目（ＡＧ列）
・税率：→表示項目（ＡＦ列）
３１．ファイナンス＊リース（ホンタイ）（前払金＊下取車）：
・本体、前払金＊下取車：→表示項目（ＡＥ列、ＡＨ列〜ＡＰ列）
・例）表示値「１，０００，０００」円
３２．ファイナンス＊リース（ホンタイ）（残存価格）：
・本体、残存価格：→表示項目（ＡＥ列、ＡＨ列〜ＡＰ列）
・例）表示値「８００，０００」円
３３．ファイナンス＊リース（ホンタイ）（ボーナス加算）：
・本体、ボーナス加算：→表示項目（ＡＥ列、ＡＨ列〜ＡＰ列）
・例）表示値「５０，０００」円
３４．ファイナンス＊リース（ホンタイ）（消費税）：
・本体、消費税：→表示項目（ＡＧ列）
・税率：→表示項目（ＡＦ列）
３５．ファイナンス＊リース（ホンタイ）（月額リース料）：
・本体、月額リース料：→表示項目（ＡＨ列〜ＡＰ列）
・例）表示値「６２，２００」円
つぎに、図１４，１６に示す第１出力様式テーブルを用いて以下に説明する。
３６．ファイナンス＊リース（メンテ−ナシ）（経過時費用１）：
・本体＋登録費用＋税、経過時費用１：→表示項目（ＡＥ列）
・例）表示値「１５３，０００」円
３７．ファイナンス＊リース（メンテ−ナシ）（前払金＊下取車）：
・本体＋登録費用＋税、前払金＊下取車：→表示項目（ＡＥ列、
ＡＨ列〜ＡＰ列）
・例）表示値「１，０００，０００」円
３８．ファイナンス＊リース（メンテ−ナシ）（残存価格）：
・本体＋登録費用＋税、残存価格：→表示項目（ＡＥ列、
ＡＨ列〜ＡＰ列）
・例）表示値「８００，０００」円
３９．ファイナンス＊リース（メンテ−ナシ）（ボーナス加算）：
・本体＋登録費用＋税、ボーナス加算：→表示項目（ＡＥ列、
ＡＨ列〜ＡＰ列）
・例）表示値「５０，０００」円
４０．ファイナンス＊リース（メンテ−ナシ）（消費税）：
・本体＋登録費用＋税、消費税：→表示項目（ＡＧ列）
・税率：→表示項目（ＡＦ列）
４１．ファイナンス＊リース（メンテ−ナシ）（月額リース料）：
・本体＋登録費用＋税、月額リース料：
→表示項目（ＡＨ列〜ＡＰ列）
・例）表示値「７４，７００」円
４２．ファイナンス＊リース（メンテ−ナシ）（月額リース料）（支払回数）：
・本体＋登録費用＋税、月額リース料、支払回数：
→表示項目（ＡＨ列〜ＡＰ列）
・例）表示値：「４８」回
４３．ファイナンス＊リース（メンテ−ナシ）（月額リース料）（支払金額）：
・本体＋登録費用＋税、月額リース料、支払金額：
→表示項目（ＡＨ列〜ＡＰ列）
・例）表示値「４，９８５，６００」円
４４．ファイナンス＊リース（ショヒヨウ）（経過時費用２）：
・本体＋登録費用＋税＋経過費用、経過時費用２：
→表示項目（ＡＥ列、ＡＨ列〜ＡＰ列）
・例）表示値「２３４，６００」円
４５．ファイナンス＊リース（ショヒヨウ）（前払金＊下取車）：
・本体＋登録費用＋税＋経過費用、前払金＊下取車：
→表示項目（ＡＥ列、ＡＨ列〜ＡＰ列）
・例）表示値「１，０００，０００」円
４６．ファイナンス＊リース（ショヒヨウ）（残存価格）：
・本体＋登録費用＋税＋経過費用、残存価格：→表示項目（ＡＥ列、
ＡＨ列〜ＡＰ列）
・例）表示値「８００，０００」円
４７．ファイナンス＊リース（ショヒヨウ）（ボーナス加算）：
・本体＋登録費用＋税＋経過費用、ボーナス加算：
→表示項目（ＡＥ列、ＡＨ列〜ＡＰ列）
・例）表示値「５０，０００」円
４８．ファイナンス＊リース（ショヒヨウ）（消費税）：
・本体＋登録費用＋税＋経過費用、消費税：→表示項目（ＡＧ列）
・税率：→表示項目（ＡＦ列）
４９．ファイナンス＊リース（ショヒヨウ）（月額リース料）：
・本体＋登録費用＋税＋経過費用、月額リース料：
→表示項目（ＡＨ列〜ＡＰ列）
・例）表示値「７６，４００」円
５０．メンテナンス＊リース（ケイヤク）（経過時費用２）：
・本体＋登録費用＋税＋経過費用＋契約整備、経過時費用２：
→表示項目（ＡＥ列、ＡＨ列〜ＡＰ列）
・例）表示値「２３４，６００」円
５１．メンテナンス＊リース（ケイヤク）（前払金＊下取車）：
・本体＋登録費用＋税＋経過費用＋契約整備、前払金＊下取車：
→表示項目（ＡＥ列、ＡＨ列〜ＡＰ列）
・例）表示値「１，０００，０００」円
５２．メンテナンス＊リース（ケイヤク）（残存価格）：
・本体＋登録費用＋税＋経過費用＋契約整備、残存価格：
→表示項目（ＡＥ列、ＡＨ列〜ＡＰ列）
・例）表示値「８００，０００」円
５３．メンテナンス＊リース（ケイヤク）（ボーナス加算）：
・本体＋登録費用＋税＋経過費用＋契約整備、ボーナス加算：
→表示項目（ＡＥ列、ＡＨ列〜ＡＰ列）
・例）表示値「５０，０００」円
５４．メンテナンス＊リース（ケイヤク）（消費税）：
・本体＋登録費用＋税＋経過費用＋契約整備、消費税：
→表示項目（ＡＧ列）
・税率：→表示項目（ＡＦ列）
５５．メンテナンス＊リース（ケイヤク）（月額リース料）：
・本体＋登録費用＋税＋経過費用＋契約整備、月額リース料：
→表示項目（ＡＨ列〜ＡＰ列）
・例）表示値「７８，６００」円
５６．メンテナンス＊リース（テイキケンサ）（経過時費用２）：
・本体＋登録費用＋税＋経過費用＋契約整備＋一般整備、
経過時費用２：
→表示項目（ＡＥ列、ＡＨ列〜ＡＰ列）
・例）表示値「２３４，６００」円
５７．メンテナンス＊リース（テイキケンサ）（前払金＊下取車）：
・本体＋登録費用＋税＋経過費用＋契約整備＋一般整備、
前払金＊下取車：
→表示項目（ＡＥ列、ＡＨ列〜ＡＰ列）
・例）表示値「１，０００，０００」円
５８．メンテナンス＊リース（テイキケンサ）（残存価格）：
・本体＋登録費用＋税＋経過費用＋契約整備＋一般整備、残存価格：
→表示項目（ＡＥ列、ＡＨ列〜ＡＰ列）
・例）表示値「８００，０００」円
５９．メンテナンス＊リース（テイキケンサ）（ボーナス加算）：
・本体＋登録費用＋税＋経過費用＋契約整備＋一般整備、
ボーナス加算：→表示項目（ＡＥ列、ＡＨ列〜ＡＰ列）
・例）表示値「５０，０００」円
６０．メンテナンス＊リース（テイキケンサ）（消費税）：
・本体＋登録費用＋税＋経過費用＋契約整備＋一般整備、消費税：
→表示項目（ＡＧ列）
・税率：→表示項目（ＡＦ列）
６１．メンテナンス＊リース（テイキケンサ）（月額リース料）：
・本体＋登録費用＋税＋経過費用＋契約整備＋一般整備、
月額リース料：→表示項目（ＡＨ列〜ＡＰ列）
・例）表示値「８３，３００」円
６２．メンテナンス＊リース（フル）（経過時費用２）：
・本体＋登録費用＋税＋経過費用＋契約整備＋一般整備＋部品、
経過時費用２：
→表示項目（ＡＥ列、ＡＨ列〜ＡＰ列）
・例）表示値「２３４，６００」円
６３．メンテナンス＊リース（フル）（前払金＊下取車）：
・本体＋登録費用＋税＋経過費用＋契約整備＋一般整備＋部品、
前払金＊下取車：
→表示項目（ＡＥ列、ＡＨ列〜ＡＰ列）
・例）表示値「１，０００，０００」円
６４．メンテナンス＊リース（フル）（残存価格）：
・本体＋登録費用＋税＋経過費用＋契約整備＋一般整備＋部品、
残存価格：→表示項目（ＡＥ列、ＡＨ列〜ＡＰ列）
・例）表示値「８００，０００」円
６５．メンテナンス＊リース（フル）（ボーナス加算）：
・本体＋登録費用＋税＋経過費用＋契約整備＋一般整備＋部品、
ボーナス加算：→表示項目（ＡＥ列、ＡＨ列〜ＡＰ列）
・例）表示値「５０，０００」円
６６．メンテナンス＊リース（フル）（消費税）：
・本体＋登録費用＋税＋経過費用＋契約整備＋一般整備＋部品、
消費税：→表示項目（ＡＧ列）
・税率：→表示項目（ＡＦ列）
６７．メンテナンス＊リース（フル）（月額リース料）：
・本体＋登録費用＋税＋経過費用＋契約整備＋一般整備＋部品、
月額リース料：→表示項目（ＡＨ列〜ＡＰ列）
・例）表示値「８７，６００」円
また、図１３，１５に示すように、左上には、対象商品の写真、イラスト、スケッチの表示欄があり、当該表示欄には、例えばイメージスキャナ等の画像読取装置か50から取り込まれたイメージが貼り付けられる。
（リースプラン比較演算方法）
上記した構成を備えたリースプラン比較演算装置10の動作について、以下に説明する。
【００９１】
まず、図３，４に示す入力テーブルに入力された入力値と、図５に示す第１データテーブルあるいは図６に示す第２データテーブルに記憶されたデータ値が、図７〜１２に示す計算テーブルに従って計算され、図１３〜１６に示す出力様式テーブルに転記されて、例えばディスプレイ等の表示装置60に表示されたり、或いは例えばプリンタ等の印刷装置70により印刷される。
【００９２】
すなわち、リースプラン比較演算方法は、以下に説明する４つの工程、すなわちデータ入力工程、基本リース額計算工程、比較リース額計算工程、出力工程を含んでいる。
第１に、データ入力工程では、例えばキーボード等の入力装置30より、リース物件価格とリース回数とが入力される。また、入力装置30からは、さらに、ボーナス加算額、リース残存価格を入力してもよい。
【００９３】
これらの入力データは、データ記憶エリア110の入力データ記憶部130に記憶される。また、ボーナス加算額は、入力データ記憶部130のボーナス加算額記憶部131に記憶され、リース残存価格は、入力データ記憶部130の残存価格記憶部132に記憶される。
さらに、データ記憶エリア110のリース料率記憶部140には、リース料率が記憶され、変化率記憶部150のボーナス調整額記憶部151には、ボーナス加算額にもとづくボーナス調整額が記憶され、変化率記憶部150の残存価格調整額記憶部152には、リース残存過価格にもとづく残存価格調整額が記憶される。
【００９４】
第２に、基本リース額計算工程では、データ入力工程により入力されたリース物件価格及びリース回数等にもとづき、予め設定されたリース料率と基本リース額計算テーブル121に記憶されたプログラムに従って基本リース額を求める。
第３に、比較リース額計算工程では、データ入力工程により入力されたリース物件価格及びリース回数等、並びにリース料率に基づき、予め設定された変化率に従って、複数の比較リース額を求める。
【００９５】
第４に出力工程では、表示装置60、印刷装置70、通信装置80等により、基本リース額計算工程により求めた基本リース額、及び比較リース額計算工程により求めた比較リース額とを出力する。
（記憶媒体）
リースプラン比較演算装置10を動作させるプログラムは、記憶媒体に記憶することができる。
【００９６】
すなわち、ＣＤ−ＲＯＭ、フロッピィディスク等の記憶媒体には、上記４つの工程をコンピュータ本体20に実行させるためのプログラムが記憶される。
（第２実施例）
図１７〜１９は、本発明の実施の形態の第２実施例を示すものである。
図１７は、リースプラン比較演算装置の概略ブロック図を示す。
【００９７】
図１８，１９は、出力様式テーブルをそれぞれ示し、図１８はデータの入力状態を示す第１出力様式テーブルを、図１９はデータの入力状態を示す第２出力様式テーブルをそれぞれ示す。
本第２実施例の特徴点は、法人リースを対象とした点にある。
すなわち、図１７に示すように、変化率記憶部150に、リース回数変動率記憶部154を含んでいる。
【００９８】
図１７の入力データ記憶部130には、入力されたリース回数が記憶されている。例えば、リース回数として、「４８」月が入力され、リース回数変動率記憶部154に、入力された「１２」月が記憶されていると、仮定すると、入力された「４８」月が、「１２」月ずつ変化した月額リース料が計算される。
すなわち、図１９のＦ３の行（９３〜９９行）を例に挙げると、「４８  基準欄」の３列（ＡＰ，ＡＱ，ＡＲ列）には、「４８」月を基準に計算された月額リース料（９７行ＡＰ列、９７行ＡＱ列、９７行ＡＲ列）が表示される。
【００９９】
これに対し、図１９に示す「４８  基準欄」の列（ＡＰ，ＡＱ，ＡＲ列）の左側の「３６  基準欄」の列（ＡＬ，ＡＭ，ＡＮ列）のリース回数は、「４８」月に、リース回数変動率記憶部154に記憶されたリース回数、例えば「１２」月を減算した回数、すなわち「３６」月（９８行ＡＬ列、９８行ＡＭ列、９８行ＡＮ列）が記入される。その結果、「月額リース料」（９７行ＡＬ列、９７行ＡＭ列、９８ＡＮ列）は、「３６」月を基準に計算される。
【０１００】
逆に、図１９に示す「４８  基準欄」の列（ＡＰ，ＡＱ，ＡＲ列）の右側の「４８  基準欄」の列（ＡＴ，ＡＵ，ＡＶ列）のリース回数は、「４８」月に、リース回数変動率記憶部154に記憶されたリース回数、例えば「１２」月を加算した回数、すなわち「６０」月（９８行ＡＴ列、９８行ＡＵ列、９８行ＡＶ列）が記入される。その結果、「月額リース料」（９７行ＡＴ列、９７行ＡＵ列、９８ＡＶ列）は、「６０」月を基準に計算される。
【０１０１】
また、「No.1」〜「No.3」は、走行距離の別を示し、走行距離の相違により、残存価格を変化させている。
例えば、図１９のＦ３の行（９３〜９９行）の「４８  基準欄」の３列（ＡＰ，ＡＱ，ＡＲ列）を例に挙げると、「No.2」の列（ＡＱ列）は、「基準欄＊標準走行＊10,000km程度」を想定し、「残存価格」として「350,000」円を基準に、月額リース料（９７行ＡＱ列）を計算している。
【０１０２】
これに対し、左側の「No.1」の列（ＡＰ列）は、「少  走行＊7,000km以下」を想定し、「残存価格」を増額して「450,000」円を基準に、月額リース料（９７行ＡＰ列）を計算している。
逆に、右側の「No.3」の列（ＡＲ列）は、「多  走行＊12,000km以上」を想定し、「残存価格」を減額して「230,000」円を基準に、月額リース料（９７行ＡＲ列）を計算している。
【０１０３】
なお、本第２実施例は、先に説明した第１実施例のものと同様にリース額の計算等ができるので、具体的な説明は省略する。
【０１０４】
【発明の効果】
本発明は、以上のように構成されているので、以下に記載されるような効果を奏する。
（請求項１）
請求項１記載の発明によれば、次のような効果を奏する。
【０１０５】
すなわち、請求項１記載の発明によれば、多種多様な顧客のニーズに迅速に対応してリースプランを提示することが可能なリースプラン比較算出装置を提供することができる。
【図面の簡単な説明】
【図１】  リースプラン比較演算装置の概略ブロック図である。
【図２】  リースプランの説明図である。
【図３】  入力テーブルの説明図である。
【図４】  図３に対応し、データの入力状態を示す入力テーブルの説明図である。
【図５】  第１データテーブルの説明図である。
【図６】  第２データテーブルの説明図である。
【図７】  第１計算テーブルの説明図である。
【図８】  第２計算テーブルの説明図である。
【図９】  第３計算テーブルの説明図である。
【図１０】  図７に対応し、データの入力状態を示す第１計算テーブルの説明図である。
【図１１】  図８に対応し、データの入力状態を示す第２計算テーブルの説明図である。
【図１２】  図９に対応し、データの入力状態を示す第３計算テーブルの説明図である。
【図１３】  第１出力様式テーブルの説明図である。
【図１４】  第２出力様式テーブルの説明図である。
【図１５】  図１３に対応し、データの入力状態を示す第１出力様式テーブルの説明図である。
【図１６】  図１４に対応し、データの入力状態を示す第２出力様式テーブルの説明図である。
【図１７】  第２実施例を示し、リースプラン比較演算装置の概略ブロック図である。
【図１８】  第２実施例を示し、データの入力状態を示す第１出力様式テーブルである。
【図１９】  第２実施例を示し、データの入力状態を示す第２出力様式テーブルである。
【符号の説明】
10  リースプラン比較演算装置  20  コンピュータ本体
30  入力装置                  40  外部記憶装置
50  画像読取装置              60  表示装置
70  印刷装置                  80  通信装置
90  記憶手段                 100  リースプラン比較演算手段
110  データ記憶エリア         120  プログラム記憶エリア
121  基本リース額計算テーブル 122  比較リース額計算テーブル
130  入力データ記憶部         131  ボーナス加算額記憶部
132  残存価格記憶部           133  前払金記憶部
140  リース料率記憶部         150  変化率記憶部
151  ボーナス調整額記憶部     152  残存価格調整額記憶部
153  前払金調整額記憶部       154  リース回数変動率記憶部
【図１】
0003877815.tif 000002
【図２】
0003877815.tif 000003
【図３】
0003877815.tif 000004
【図４】
0003877815.tif 000005
【図５】
0003877815.tif 000006
【図６】
0003877815.tif 000007
【図７】
0003877815.tif 000008
【図８】
0003877815.tif 000009
【図９】
0003877815.tif 000010
【図１０】
0003877815.tif 000011
【図１１】
0003877815.tif 000012
【図１２】
0003877815.tif 000013
【図１３】
0003877815.tif 000014
【図１４】
0003877815.tif 000015
【図１５】
0003877815.tif 000016
【図１６】
0003877815.tif 000017
【図１７】
0003877815.tif 000018
【図１８】
0003877815.tif 000019
【図１９】
0003877815.tif 000020